(57)【要約】【課題】折板からなる屋根や外壁の構造の耐火性能を向上させて、かかる折板構造を高い建物にも適用できるようにする。【解決手段】折板１６を接続してなる２枚の屋根外壁部材２４の間に、例えばセラミックウール等の耐火材２２を装填する。一実施形態において、折板１６は、屋根外壁の接続部分で折り曲げられた折板１６により構成されており、屋根外壁部材２４は屋根と外壁とを一体に構成する。【選択図】      図５
2005126994.tif 000002
【特許請求の範囲】
【請求項１】
折板により構成され、建物の外壁あるいは屋根を構成する板状部材と、この板状部材の建物内側に設けられた耐火材とを備えることを特徴とする耐火構造。
【請求項２】
前記耐火材がセラミックウールにより構成されていることを特徴とする請求項１記載の耐火構造。
【請求項３】
前記板状部材は外壁と屋根とを一体に構成していることを特徴とする請求項１又は２記載の耐火構造。
【請求項４】
前記板状部材が建物の内側と外側に間隔を隔てて互いに対向するように設けられ、それらの間に前記耐火材が介装されていることを特徴とする請求項１〜３のうち何れか１項記載の耐火構造。
【発明の詳細な説明】
【技術分野】
【０００１】
本発明は、折板により構成された外壁又は屋根の耐火構造に関する。
【背景技術】
【０００２】
従来より、例えば特許文献１に開示されるように、クリーンルーム等の気密性が要求される建物の屋根と外壁とを一体に構成した屋根外壁構造が知られている。この構造では、屋根と外壁との境界部で屈曲された折板を複数平行に並べて結合し、屋根と外壁とを一体に構成している。かかる構造によれば、屋根と外壁との取合い部で結合する必要がないため、この部分でのシールが不要となり、また、表面塗装された折板を用いることで、内装工事も不要となるといった利点がある。また、折板を内外二重構造としてその間に断熱材を装填することにより、優れた断熱性も実現している。
【特許文献１】特開２００３−１３５５５号公報
【発明の開示】
【発明が解決しようとする課題】
【０００３】
ところで、建物の耐火性能には３０分耐火、１時間耐火等、建物が燃焼に耐え得る時間に基づいた基準が設けられており、例えば高さが１５〜２０ｍにも達する高い建物では１時間耐火の基準を満たすことが要求される。しかしながら、折板を用いた上記従来の屋根外壁構造では、断熱性については考慮されているものの、耐火に関して十分な対策が講じられていないため、高さ１５〜２０ｍといった高い建物に適用することはできなかった。
【０００４】
本発明は、上記の点に鑑みてなされたものであり、折板からなる屋根や外壁の構造の耐火性能を向上させて、かかる折板構造を高い建物にも適用できるようにすることを目的とする。
【課題を解決するための手段】
【０００５】
上記の目的を達成するため、請求項１に記載された発明に係る耐火構造は、折板により構成され、建物の外壁あるいは屋根を構成する板状部材と、この板状部材の建物内側に設けられた耐火材とを備えることを特徴とする。  
本発明によれば、折板により構成された板状部材の建物内側に耐火材が設けられるので、折板構造の耐火性が向上する。
【０００６】
また、請求項２に記載された発明は、請求項１記載の耐火構造において、前記耐火材がセラミックウールにより構成されていることを特徴とする。
【０００７】
また、請求項３に記載された発明は、請求項１又は２記載の耐火構造において、前記板状部材が外壁と屋根とを一体に構成していることを特徴とする。
【０００８】
また、請求項４に記載された発明は、請求項１〜３のうち何れか１項記載の耐火構造において、前記板状部材が建物の内側と外側に間隔を隔てて互いに対向するように設けられ、それらの間に前記耐火材が介装されていることを特徴とする。
【発明の効果】
【０００９】
本発明によれば、折板からなる屋根又は外壁構造の耐火性能を向上させて、かかる折板構造を高い建物にも適用することが可能となる。
【発明を実施するための最良の形態】
【００１０】
以下、図面を参照して、本発明に係る耐火構造の一実施形態について説明する。本実施形態の耐火構造は、例えば、気密性および断熱性が要求されるクリーンルーム等の建物の屋根と外壁が折板を用いて一体化された屋根外壁構造に適用されるものである。
【００１１】
図１は、本実施形態の屋根外壁構造の全体を表す鉛直断面図である。また、図２は、本実施形態の屋根外壁構造の一部を示す斜視図である。更に、図３は、本実施形態の屋根外壁構造を構成する折板の斜視図である。
【００１２】
図１に示す如く、本実施形態の屋根外壁構造においては、略Ｕ型に屈曲された屋根外壁板２４により、屋根１０とその両側の外壁１２とが一体に構成されている。この屋根外壁板２４が本発明の板状部材に相当する。図２に示すように、屋根外壁板２４は、折板１６を屋根と外壁の境界位置にて屈曲し、それら折板１６を複数枚平行に並べて結合して結合することにより構成されている。なお、後述の通り、屋根外壁板２４は建物の内外二重に設けられており、その間に耐火材としてのセラミックウールが装填されている。
【００１３】
折板１６は、短冊状のメッキ鋼板で構成され、従来より屋根部材として用いられているものであり、図３に示すように、平坦な底部１６ａとその両側縁部から曲げ起こされた斜面部１６ｂとからなる略台形状の断面形状を有している。両側の斜面部１６ｂの上端には全長にわたって小鈎１６ｃ，１６ｄが設けられ、複数枚の折板１６を平行に並べたときに、隣接する折板１６同士は、一方の小鈎１６ｃが他方の小鈎１６ｄに重ね合わされて折り曲げられる鈎継ぎによって結合できるようになっている。ただし、折板１６どうしの接続方法は鈎継ぎに限らず、例えば、重ね形折板屋根やかん合型折板屋根における接続方法等のような他の方法を用いることもできる。
【００１４】
折板１６は、屋根１０と両側の外壁１２とを合わせた長さを有し、上述の通り屋根１０と外壁１２との境界位置で折り曲げられて、略Ｕ形状に形成されている。このように形成された折板１６が複数本、互いに平行な状態で、Ｈ形鋼３０や角形鋼管３２等からなる架構に載置されて（図２を参照）、上述した鈎継ぎによって結合される。
【００１５】
図４は、折板１６の鈎継ぎ部分を示す断面図である。同図に示すように鈎継ぎ部分１８の所定の位置に吊子３４が設けられ、この吊子３４によって折板１６が前記クリーンルームの架構に、折板１６の溝形状とほぼ同型状をなすタイトフレーム３６を介して固定される。また、鈎継ぎ部分１８には、その外方から小鈎１６ｃ、１６ｄを包むようにアルミ箔テープ２０で目張りされ、折板１６間の隙間が封止された屋根外壁板２４が形成される。
【００１６】
このように、屋根１０と外壁１２とが、短冊状の単一部材でなる折板１６を折り曲げて一体に構成され、この折板１６が複数枚平行に並べられるとともにそれらの間が隙間無く封止されている。よって、屋根１０と外壁１２とに全く隙間のないクリーンルームを形成することができる。なお、折板１６間の鈎継ぎ部分１８をアルミ箔テープ２０で封止する代わりに、ステンレステープ、ビニールテープ、クリーンテープ等で封止してもよく、また、テープではなくシーリング材で封止してもよい。このように、鈎継ぎ部分１８をクリーンルームの外側からテープやシーリング材で封止することで、たとえテープやシーリング材からガス等が発生してもそのガスによってクリーンルーム内が汚染されることはない。
【００１７】
また、本実施形態の屋根外壁構造では図５に示すような二重構造としている。すなわち、折板１６で形成した屋根外壁板２４の外側に、間隔を隔てて、同様に上記折板１６で形成した屋根外壁板２４が配設されている。ここで、内外に位置する屋根外壁板２４間には、適宜な間隔を保持するためのサドル２６が設けられ、屋根外壁板２４間には密閉された空間２８が形成されている。この空間２８内には、例えばセラミックファイバーなどの耐火材２２が装填されている。本実施形態では、セラミックファイバーからなる耐火材２２を２層構造として、例えば、厚さ３０ｍｍ程度の内側層２２ａと、厚さ２５ｍｍ程度の外側層２２ｂとにより構成している。ただし、本発明の耐火材はこのような構成に限らず、１層構造としてもよい。また、耐火材としてセラミックファイバー以外の適宜な耐火材料を用いてもよい。
【００１８】
図６は、外壁１２と地面との取合い部を拡大して示す鉛直断面図であり、また、図７は、この取合い部の水平断面図である。図６に示すように、外壁１２が設置される地盤には砕石５０が敷き詰められ、その上に捨てコンクリート５２、５３が打設されている。内側の捨てコンクリート５２の上には、硬質スタイロフォーム等の緩衝材５４が設置され、更に緩衝材５４の上面に外壁１２の下端が当接している。また、外壁１２の下端部の内面にはペフシート等の緩衝シート５６が装着されており、この緩衝シート５６と建物の床コンクリート５８との間に内部コンクリート６０が打設されている。一方、外壁１２の下端部の外面側にも同様に緩衝シート６２が装着されており、この緩衝シート６２が貼り付けられた部分を外側から覆うように、犬走りコンクリート６４が打設されている。そして、犬走りコンクリート６４の上端部と外壁１２の外面との間に沿って三角シール６６が装着されている。
【００１９】
本実施形態の屋根外壁構造を建設する場合、予め、外壁１２の設置予定位置の地面に砕石５０を敷き詰め、その上に捨てコンクリート５２，５３を打設して捨てコンクリート５２の上に緩衝材５４を設置しておく。そして、Ｈ型鋼３０や鋼管３２等からなる架構を構築し、この架構にタイトフレーム３６を溶接する。また、折板１６を屋根１０と外壁１２との境界位置でラジアル加工により円弧状に折り曲げてＵ型に形成する。こうしてＵ型に折り曲げた折板１６をクレーンで吊り上げてタイトフレーム３６にセットし、上述のように、隣接する折板１６を鈎継ぎによって結合して、内側の屋根外壁板２４を構築する。この内側の屋根外壁板２４にセラミックウール等の耐火材２２を敷き込んだ後、この耐火材２２の上から挟み込むようにサドル２６を取り付ける。そして、外側の屋根外壁板２４を構成する折板１６を吊り上げて、内側の折板１６の場合と同様に、順次、鈎継ぎによって結合していく。
【００２０】
上記の工程により内側及び外側の屋根外壁部材２４を構築した後、外壁１２の下部の内面に緩衝シート５６を装着し、床コンクリート５８との間に内部コンクリート６０を打設する。また、外壁１２の下部の外面にも緩衝シート６２を装着し、その外側に犬走りコンクリート６４を打設して、養生後、三角シール６６を装着する。
【００２１】
以上説明した本実施形態の屋根外壁構造によれば、二重に設けられた隙間のない屋根外壁板２４によって、より高い気密性を備えたクリーンルームを実現することができる。
【００２２】
また、屋根外壁板２４の間に耐火材２２を装填することにより、高い耐火性能を確保することもできる。
【００２３】
ここで、本実施形態の屋根外壁構造について行った耐火試験について説明する。この耐火試験では、屋根外壁板２４の表面において６０分間燃焼を行い、裏面の１５箇所で温度測定を行った。その結果は次の通りとなった。  
１回目（外気温    ２５℃）
平均温度  １２４℃
最高温度  １４８℃
２回目（外気温    ２４℃）
平均温度  １１２℃
最高温度  １３６℃
法律（建築基準法）に基づく１時間耐火の条件は、上記の耐火試験において、裏面１５箇所の測定点の温度の平均値が（１４０℃＋外気温）以下であり、かつ、それら測定点の最高温度が（１８０℃＋外気温）を超えないことである。上記２回の試験では、何れでもこの条件を満たしていることがわかる。
【００２４】
このように、本実施形態によれば、１時間耐火の条件を満たす優れた耐火性能が得られており、本実施形態の屋根外壁構造を高さ１５〜２０ｍといった高い建物に適用することが可能となる。
【００２５】
また、図６及び図７を参照して説明した外壁１２と地面との取合い部の構成によれば、外壁１２を内外両側から挟むように内部コンクリート６０及び犬走りコンクリート６４が地面に打設されるので、外壁１２の下部を確実に保持することができる。さらに、外壁１２が温度変化に応じて鉛直方向に伸縮した場合、その伸縮は、地面との間に介装された緩衝材５４が変形することにより吸収される。また、屋根外壁板２４の全体の変形により、外壁１２が水平方向に変位した場合も、その変位は内部コンクリート６０及び犬走りコンクリート６４との間に介装された緩衝シート５６，６２の厚み方向の変形により吸収される。このように、屋根外壁板２４が変形してもその変形が緩衝材５４や緩衝シート５６，６２により吸収されることにより、外壁１２と地面との間に隙間が生ずることはない。さらに、外壁１２の外面の犬走りコンクリート６４との間には三角シール６６が装着されているので、犬走りコンクリート６４との間の隙間から水の浸入も確実に防止される。このように、本実施形態によれば、従前のような腰壁を用いることなく、外壁１２と地面との取合い部における気密性及び止水性・防水性を確保することもできる。
【００２６】
なお、上記実施形態では、本発明の耐火構造が、Ｕ型に屈曲された折板１６を用いて屋根１０とその両側の外壁１２とが一体化された屋根外壁構造に適用された場合について説明したが、本発明の耐火構造はＬ型に屈曲された折板１６を用いて屋根１０と片側の外壁とを一体化する場合にも適用可能であるし、また、屋根外壁を一体化する場合に限らず、屋根のみ、あるいは、外壁のみを折板で構成する場合にも適用可能である。
【００２７】
また、上記実施形態では、２枚の屋根外壁部材２４を設け、その間に耐火材２２を設けるものとしたが、本発明はこれに限らず、内側は例えば平板状部材として、この平板状部材と外側の屋根外壁部材２４との間に耐火材２２を設けてもよい。要するに、折板１６からなる屋根又は外壁の建物内側に耐火材２２が設けられる構成であればよい。
【図面の簡単な説明】
【００２８】
【図１】本発明の耐火構造が適用された屋根外壁構造の一実施形態を示す全体断面図である。
【図２】本実施形態の屋根外壁構造の一部を示す斜視図である。
【図３】本実施形態の屋根外壁構造を構成する折板の斜視図である。
【図４】折板の鈎継ぎ部分を示す断面図である。
【図５】本実施形態の屋根外壁構造の二重構造を示す断面図である。
【図６】本実施形態における外壁と地面との取合い部を拡大して示す鉛直断面図である。
【図７】図６の取合い部の水平断面図である。
【符号の説明】
【００２９】
１０  屋根
１２  外壁
１６  折板
１８  鈎継ぎ部分
２０  アルミ箔テープ
２２  耐火材
２４  屋根外壁板
５０  砕石
５２，５３  捨てコンクリート
５４  緩衝材
５６，６２  緩衝シート
５８  床コンクリート
６０  内部コンクリート
６４  犬走りコンクリート
６６  三角シール
【図１】
2005126994.tif 000003
【図２】
2005126994.tif 000004
【図３】
2005126994.tif 000005
【図４】
2005126994.tif 000006
【図５】
2005126994.tif 000007
【図６】
2005126994.tif 000008
【図７】
2005126994.tif 000009